(57)【特許請求の範囲】
【請求項１】
固定側に引戸の上端部に永久磁石を取り付け、引戸枠の上枠内部に複数の電機子コイルを直列に接続したものを引戸の移動範囲の全距離に亘って取り付け、電機子コイルに所定の周波数の交流電流を投入することによって引戸にリニア駆動による推進力を与えるようにし、上記引戸枠の上枠が複数の枠部材を組み合わせて構成されていると共に、複数の枠部材の相互間に複数の中空スペースが独立して形成されており、１つの中空スペースに電機子コイルが収納され、別の１つの中空スペース内に電機子コイルの配線が収納され、電機子コイルが収納される中空スペースの下方が、中空スペースの全長に亘って延びた取り外し可能な略逆Ｕ字状のカバー部材にて覆われており、上記カバー部材の両側片の内面に引戸の上端部が摺動する引戸摺動面が形成されていると共に、引戸摺動面にカバー部材を枠部材に設けた係止突起に係止させるための係止突条が設けられており、この係止突条の内面が引戸側に突出し且つ引戸の摺動方向に沿って細長く延びた摺動突起を構成していることを特徴とするリニア式自動引戸の上枠の構造。
【請求項２】
複数の枠部材からなる上枠が、垂れ壁の下地枠よりも下方に突出した左右の面板間に配置され、上枠の左右両側には、左右の面板に対して位置決めされる一対の位置決め部が面板間の異なる幅寸法に対応して複数対設けられていることを特徴とする請求項１記載のリニア式自動引戸の上枠の構造。
【請求項３】
垂れ壁の面板の下端部と上枠との接続部分を覆うための化粧縁材を備え、上枠には化粧縁材を取り付けるための凹部が設けられていることを特徴とする請求項２記載のリニア式自動引戸の上枠の構造。
【請求項４】
垂れ壁等のような躯体の下方に配置される枠部材にネジ止め部を設け、上記枠部材を介して躯体とは反対側に、一端が電機子コイルを貫通して上枠の下方に突出し且つ他端が上記枠部材のネジ止め部に対向する中空筒状のドライバー挿入ガイドを配置し、ドライバー挿入ガイドの一端からドライバーを挿入してネジ具を枠部材のネジ止め部を貫通して躯体に締結することにより上枠を躯体に取り付けてなることを特徴とする請求項１記載のリニア式自動引戸の上枠の構造。
【発明の詳細な説明】
【０００１】
【発明の属する技術分野】
本発明は、リニア式自動引戸の上枠の構造に関するものである。
【０００２】
【従来の技術】
従来のリニア式自動引戸は、引戸枠の上枠の下面に引戸の移動範囲の全距離に亘って永久磁石（固定子）を取り付け、引戸の上端に複数の電機子コイル（可動子）を直列に接続したものを取り付けてリニア駆動部を構成し、電機子コイルに所定の周波数の交流電流を投入することによって引戸にリニア駆動による推進力が与えられるようになっている。
【０００３】
【発明が解決しようとする課題】
ところが従来では引戸側に電機子コイルを取り付けているために、電機子コイルの電源接続部が可動する構造となり、長期に亘って電源接続部の信頼性を維持するのが困難であった。また、一般にリニア駆動部の取り付けは現場で行われており、引戸の建て込み時に、同時に電機子コイルの電源接続部の電気工事を行う必要があり、引戸の大工工事と電気工事の分離施工が困難であり、施工性の低下をきたしていた。特に、引戸側に電機子コイルを配置した場合にあっては、電機子コイルの配線の納まりが悪くなり、外観を損なうという問題もあった。
【０００４】
本発明は、上記の従来例の問題点に鑑みて発明したものであって、その目的とするところは、電気工事が簡易で且つ電源接続部の信頼性を長期に亘って確保でき、また電機子コイル及びその配線の納まりが良くなると共に、上枠の加工性の向上を図ることができるリニア式自動引戸の上枠の構造を提供するにあり、別の目的とするところは、垂れ壁の左右の面板間の寸法が異なる場合に容易に対応できるリニア式自動引戸の上枠の構造を提供するにあり、別の目的とするところは、固定具などを別途用いずに化粧縁材を保持できるリニア式自動引戸の上枠の構造を提供するにあり、別の目的とするところは、電機子コイルを保護しながら意匠性を向上させることができ、また引戸走行時の抵抗を低減させ且つ安定させることが可能なリニア式自動引戸の上枠の構造を提供するにあり、更に別の目的とするところは、上枠をネジ具で躯体にスムーズに固定できると共に、ドライバーやネジ具がリニア駆動部の充電部に接触したり、傷付けたりするのを防止できるリニア式自動引戸の上枠の構造を提供するにある。
【０００５】
【課題を解決するための手段】
上記課題を解決するために本発明は、引戸１の上端部に永久磁石２を取り付け、引戸枠３の上枠４内部に複数の電機子コイル５を直列に接続したものを引戸１の移動範囲の全距離に亘って取り付け、電機子コイル５に所定の周波数の交流電流を投入することによって引戸１にリニア駆動による推進力を与えるようにし、上記引戸枠３の上枠４が複数の枠部材６を組み合わせて構成されていると共に、複数の枠部材６の相互間に複数の中空スペース７が独立して形成されており、１つの中空スペース７に電機子コイル５が収納され、別の１つの中空スペース７内に電機子コイル５の配線が収納され、電機子コイル５が収納される中空スペース７の下方が、中空スペース７の全長に亘って延びた取り外し可能な略逆Ｕ字状のカバー部材１４にて覆われてなることを特徴としており、このように構成することで、電機子コイル５を上枠４に収納することで、電源接続部が可動しなくなり、電気工事が簡易となり、且つ電源接続部の信頼性を長期に亘って確保できるようになる。また引戸１の建て込み時には同時に電機子コイル５の電源接続部の電気工事を行う必要がなくなる。さらに電機子コイル５及びその配線の納まりがそれぞれ良くなると共に、配線作業が容易となり、そのうえ複数の枠部材６をいずれも簡易な形状にして上枠４全体の加工性の向上を図ることができる。またカバー部材１４により電機子コイル５を隠して保護できると共に、意匠性を向上させることができる。
また上記カバー部材１４の両側片１５の内面に引戸１の上端部が摺動する引戸摺動面１６が形成されていると共に、引戸摺動面１６にカバー部材１４を枠部材６に設けた係止突起１７に係止させるための係止突条６０が設けられており、この係止突条６０の内面が引戸１側に突出し且つ引戸１の摺動方向に沿って細長く延びた摺動突起１８を構成しているので、カバー部材１４により電機子コイル５を隠して保護できると共に、意匠性を向上させることができ、また引戸１の走行時には引戸１の上端側面が、摺動突起１８と線接触状態で摺動することとなり、引戸１走行時の抵抗を低減させ且つ安定させることが可能となり、係止突起１７と係止突条６０との係止によってカバー部材１４の取り付けが容易となる。
【０００６】
また上記複数の枠部材６からなる上枠４が、垂れ壁９の下地枠１０よりも下方に突出した左右の面板１１間に配置され、上枠４の左右両側には、左右の面板１１に対して位置決めされる一対の位置決め部１２が面板１１間の異なる幅寸法に対応して複数対設けられているのが好ましく、この場合、垂れ壁９の左右の面板１１間の寸法が異なる場合であっても、複数対のうちの一対の位置決め部１２を選択することで、上枠４を異なる種類の垂れ壁９に位置決めすることができる。
【０００７】
また上記垂れ壁９の面板１１の下端部と上枠４との接続部分を覆うための化粧縁材１３を備え、上枠４には化粧縁材１３を取り付けるための凹部８が設けられているのが好ましく、この場合、固定具などを別途用いずに、上枠４側で化粧縁材１３を保持することができる。
【０００９】
また上記垂れ壁９等のような躯体Ｃの下方に配置される枠部材６にネジ止め部２０を設け、上記枠部材６を介して躯体Ｃとは反対側に、一端が電機子コイル５を貫通して上枠４の下方に突出し且つ他端が上記枠部材６のネジ止め部２０に対向する中空筒状のドライバー挿入ガイド２１を配置し、ドライバー挿入ガイド２１の一端からドライバーを挿入してネジ具２２を枠部材６のネジ止め部２０を貫通して躯体Ｃに締結することにより上枠４を躯体Ｃに取り付けてなるのが好ましく、この場合、ドライバーを用いて上枠４をネジ具２２で躯体Ｃにスムーズに固定できると共に、ドライバーがリニア駆動部７０の充電部に接触したり、傷付けたりするのを防止できる。
【００１０】
【発明の実施の形態】
以下、本発明を添付図面に示す実施形態に基づいて説明する。
【００１１】
本例のリニア式自動引戸１は、図１に示すように、引戸１の上端部に永久磁石２（可動子）を取り付け、引戸枠３の上枠４内部に複数の電機子コイル５（固定子）を直列に接続したものを引戸１の移動範囲の全距離に亘って取り付けてリニア駆動部７０が構成され、電機子コイル５に所定の周波数の交流電流を投入することによって引戸１にリニア駆動による推進力が与えられるようになっている。
【００１２】
ここで、リニア駆動部７０が収納される上枠４は、３つの枠部材６Ａ〜６Ｃを組み合わせて構成されている。各枠部材６Ａ〜６Ｃは、例えば、図２に示すように、アルミ押出材にて構成されている。ここでは左側の枠部材６Ａは左縦片３０と横片３１とが横向き略Ｔ字状に一体形成され、横片３１の先端部に横片３１より一段立ち上がった上部連結片３２が突設されている。右側の枠部材６Ｂは、上片３３と右縦片３４とが略逆Ｌ字状に一体形成され、上片３３の先端部に一段下がった中間連結片３５が突設されている。中央側の枠部材６Ｃは、上片３６と両側片１５，１５とが略逆Ｕ字状に一体形成され、上片３６の先端から略水平に下部連結片３７が突設されている。これら上部連結片３２と中間連結片３５と下部連結片３７とを上下に重ね合わせて連結ネジ３８で連結することで、３つに分割された枠部材６Ａ〜６Ｃを１つ連結ネジ３８を用いて一体に組み立てることができるようになっており、さらに枠部材６Ｂの上片３３に設けたネジ止め部３９をネジ具にて躯体Ｃ（図５、図６の垂れ壁９等）に締結することで、上枠４全体を躯体Ｃに固定可能となっている。なお、図２中の４０は枠部材６Ａを固定するためのタッピング孔、４１は枠部材６Ｃを固定するためのタッピング孔、４２は枠部材６Ａと枠部材６Ｃとを互いに接合する凹凸接合部、４３は枠部材６Ｃと枠部材６Ｂとを互いに接合する凹凸接合部である。
【００１３】
枠部材６Ａ，６Ｂの左右両側の上端には、それぞれ、図５に示す在来工法の垂れ壁９に対して位置決めされる左右一対の第１の位置決め部１２が形成されており、垂れ壁９の左右の面板１１の下端部により位置決めされるようになっている。また、枠部材６Ａ，６Ｂの左右両側の下部には、それぞれ、図６に示す２×４工法の垂れ壁９´に対して位置決めされる左右一対の第２の位置決め部１２´が形成されている。この第１の位置決め部１２間の幅寸法Ａ（図２）は、第２の位置決め部１２´間の幅寸法Ｂ（図２）よりも短く設定されており、２×４工法の垂れ壁９´の左右の面板１１に設けた段部に位置決めされるようになっている。
【００１４】
さらに、上記左右一対の第２の位置決め部１２´の下側には、それぞれ、面板１１と枠部材６Ａとの接続部分、及び面板１１と枠部材６Ｂとの接続部分を覆うための化粧縁材１３を取り付けるための外向きコ字状の凹部８が形成されている。ここでは、図５、図６に示すように、コ字状をした化粧縁材１３の上片１３ａを面板１１の外面に当接させた状態で下片１３ｂを凹部８に嵌め込むことができるようになっている。
【００１５】
上記３つの枠部材６Ａ〜６Ｃの相互間には、３つの中空スペース７が独立して形成されている。本例では、中央側の枠部材６Ｃの内側の中空スペース７が電機子コイル５を収納する電機子コイル収納スペース７Ａとなり、中央側の枠部材６Ｃと右側の枠部材６Ｂ間の中空スペース７が、配線を収納する配線スペース７Ｂとなり、電機子コイル５の配線が配線スペース７Ｂ内部を通線して引戸枠４側に設けた電源接続部に接続されるようになっている。また、枠部材６Ｃと枠部材６Ａ間の中空スペース７が制御部７０を収納する制御部収納スペース７Ｃ（図２）となっている。この制御部７０は引戸１を制御するコントローラであり、ネジ止め部４４にて枠部材６Ａに固定されている。電機子コイル５は、固定ベース４６（図１）を介して枠部材６Ｂのネジ止め部４５に固定されている。
【００１６】
上記電機子コイル収納スペース７Ａとなる中空スペース７の下方は、図１に示すように、中空スペース７の全長に亘って延びる略逆Ｕ字状のカバー部材１４にて覆われている。カバー部材１４は、樹脂などの絶縁材で形成されており、電機子コイル５を下方から覆い隠すための化粧材として機能に加えて、引戸１の安定走行を確保する機能をも兼ね備えている。つまり、図１に示すように、カバー部材１４の両側片１５の内面には、引戸１の上端部が摺動する引戸摺動面１６が形成されている。引戸摺動面１６には、カバー部材１４を中央側の枠部材６Ｃ及び右側の枠部材６Ｂにそれぞれ設けた断面略山形状の係止突起１７に係止させるための断面略く字状の係止突条６０が形成されている。係止突条６０の内面は、引戸１側に向けて略く字状に突出し且つ引戸１の摺動方向（図１の紙面に対して垂直方向）に沿って細長く延びた摺動突起１８となっており、引戸１が摺動突起１８に摺動しながら安定走行できる構造となっている。
【００１７】
しかして、引戸１側に永久磁石２（可動子）を取り付け、引戸枠３の上枠４内部に電機子コイル５（固定子）を取り付けたことによって、電機子コイル５の電源接続部が可動しなくなり、これにより電気工事が簡易となり、且つ電源接続部の信頼性を長期に亘って確保できるようになる。また、引戸１には固定子（永久磁石２）が取り付けられるので、引戸１の建て込み時に、同時に電機子コイル５の電源接続部の電気工事を行う必要がなくなり、従って、引戸１の大工工事と電気工事の分離施工が可能となり、施工性の向上を図ることができる。特に、引戸枠３に電機子コイル５を収納すると共に、電機子コイル５の配線を収納することによって、電機子コイル５及びその配線の納まりがそれぞれ良くなり、意匠性を向上させることができる。
【００１８】
さらに、引戸枠３の上枠４を３の枠部材６Ａ〜６Ｃに分割し、３つの枠部材６Ａ〜６Ｃの相互間に形成される３つの中空スペース７を、電機子コイル収納スペース７Ａと、配線スペース７Ｂと、制御部収納スペース７Ｃとしたので、上枠４内部にリニア駆動部７０を構成する電機子コイル５、電機子コイル５の配線、及び電機子コイル５の制御部７０をそれぞれ納まり良く収納できるようになり、しかも上枠４内部に電機子コイル５の配線スペース７Ｂを確保することで、配線作業が容易となり、大幅な省施化が図られるうえに、配線の納まりが良くなることで、リニア駆動部７０と上枠４との一体感が向上し、各住宅工法に最適に適用できるものとなる。
【００１９】
また、３つの独立した中空スペース７を有する複雑な構造の上枠４を３つの枠部材６Ａ〜６Ｃに分割することで、それぞれの枠部材６Ａ〜６Ｃをいずれも簡易な形状にすることができ、正確な寸法が出し易くなり、上枠４全体の加工性の向上を図ることができる。また３分割された枠部材６Ａ〜６Ｃをそれぞれアルミ押出材で構成することによって、上枠４全体の強度を向上させることができると同時に中空形状が可能となり、配線等のための中空スペース７を容易に確保できることとなる。そのうえ、アルミ押出材であるので、リニア駆動部７０を固定するための孔加工（２次加工）をすべてプレス加工で行うことができるので、加工コストの低減を図ることができるという利点もある。
【００２０】
また、電機子コイル収納スペース７Ａを下方からカバー部材１４で覆うにあたっては、カバー部材１４を下から嵌め込むだけで、図４に示すように、枠部材６Ｂ，６Ｃに設けられた断面略山形状の係止突起１７にカバー部材１４に設けた係止突条６０をパッチン方式で係合させることができる。これにより、カバー部材１４をワンタッチで取り付けることができ、作業者の技量に左右されることなく、長期に亘って係合状態を維持できるようになり、従って、引戸１の安定走行を確保する機能を兼ね備えたカバー部材１４を上枠４に対して容易且つ確実に取り付けることができるものである。
【００２１】
しかも、係止突条６０の内面は、引戸１側に突出し且つ引戸１の摺動方向に沿って細長く延びた摺動突起１８となっているので、引戸１の走行時に引戸１の上端側面が、摺動突起１８と線接触状態で摺動することとなり、引戸１走行時の抵抗を低減させ且つ安定させることが可能となる。
【００２２】
また、樹脂などの絶縁材からなるカバー部材１４はリニア駆動部７０の充電部を隠して意匠性を向上させる効果と、充電部を保護する効果とを得ることができる。
【００２３】
さらに、本例の上枠４は、図５に示す在来工法の垂れ壁９や、図６に示す２×４工法の垂れ壁９´のいずれにも取り付け可能となっている。図５の在来工法の垂れ壁９の下地枠１０の厚みｂは例えば１０５ｍｍとされ、図６の２×４工法の垂れ壁９の下地枠１０の厚みｂ´は例えば８９ｍｍとされる。なお面板１１の厚みａは両工法とも例えば１２ｍｍとされる。在来工法の垂れ壁９の下地枠１０に上枠４を取り付けるにあたっては、図５に示すように、上枠４の左右両側に設けた左右一対の第２の位置決め部１２´を左右の面板１１に対して位置決めすることができる。一方、図６の２×４工法の垂れ壁９´においては、上枠４の左右両側の上端に左右一対の第１の位置決め部１２を左右の面板１１に対して位置決めすることができる。このように、垂れ壁９´の左右の面板１１間の寸法ｂ，ｂ´が異なる場合でも、第１の位置決め部１２又は第２の位置決め部１２´のいずれかを用いて、上枠４を垂れ壁９´に位置決め状態で取り付けることができるので、１種類の上枠４で複数種類の垂れ壁９に対応でき、従って、上枠４の種類を少なくしてコストの削減及び作業の簡易化を図ることができる。
【００２４】
図８は、垂れ壁９に上枠４を取り付ける場合の他の実施形態を示している。図８の例では、垂れ壁９の下地枠１０（図５、図６）に対して枠部材６Ｂをネジ具２２にて固定する場合を示している。枠部材６Ｂにはネジ止め部２０となるネジ孔が形成されている。この枠部材６Ｂを介して下地枠１０とは反対側、つまり枠部材６Ｂの下側には、下端部が電機子コイル５を貫通して上枠４の下方に突出し且つ上端部が枠部材６Ｂのネジ孔に対向するように、中空筒状のドライバー挿入ガイド２１が上下方向に配置されている。本例では上枠４の長手方向に間隔をあけて複数のドライバー挿入ガイド２１が取り付けられていると共に、各ドライバー挿入ガイド２１の下端部に対応して、図７に示すように、カバー部材１４には開口部９５が設けられており、この開口部９５からドライバーをドライバー挿入ガイド２１内に挿入できるようにしてある。またカバー部材１４の両端部２箇所には枠部材６Ｂに固定するための孔部９６が設けられている。この孔部９６を枠部材６Ｂに対してネジ止めすることで、カバー部材１４がユーザーによって容易に外されるのを防止できるようになっている。
【００２５】
ドライバー挿入ガイド２１は、難燃性の樹脂などで形成されている。このドライバー挿入ガイド２１は、枠部材６Ｃの上片３６に設けた挿入口９７の上方から電機子コイル５の内部に向かって挿入されるものであり、図９に示すように、ドライバー挿入ガイド２１の外面に設けたつば部８１が中央側の枠部材６Ｃの上片３６の上面に引掛かることで、挿入深さが設定されていると共に、つば部８１の下側には周方向の４箇所に等間隔で位置規制用リブ８２が設けられており、各リブ８２が枠部材６Ｃの挿入口９７の内面に当接することによって、図８のようにドライバー挿入ガイド２１の中心部Ｍと枠部材６Ｃの挿入口の中心部Ｎとを一致させることができ、これにより、電機子コイル５とドライバー挿入ガイド２１とを同一軸上に配置できるようになり、ドライバー挿入ガイド２１を電機子コイル５に触れない状態で、電機子コイル５の内部を貫通できるようにしてある。
【００２６】
しかして、ドライバーをカバー部材１４の開口部９５からドライバー挿入ガイド２１内部に挿入し、ネジ具２２を回転操作して枠部材６Ｂから垂れ壁９の下地枠１０に螺入させることによって、上枠４全体を下地枠１０（図５、図６）に固定することができる。このようにドライバー挿入ガイド２１を用いることで、垂れ壁９への上枠４の取り付け作業をスムーズに行うことができる。ここで、上枠４を構成する枠部材６Ａ〜６Ｃをそれぞれアルミ押出材にて構成した場合において、現場における垂れ壁９への上枠４の取り付けの困難性を解消でき、取り付けがスムーズにできるものであり、さらに、ドライバーをドライバー挿入ガイド２１に挿入してネジ具２２を締め付ける際にドライバーがリニア駆動部７０の充電部に接触したり、傷付けたりするのを防止できるので、ドライバー挿入ガイド２１は充電部を保護する機能をも兼ね備えたものとなる。またドライバーが充電部に触れないことで、感電の危険性を防止できるようになる。そのうえ電機子コイル５の中心部Ｍにドライバー挿入ガイド２１の中心部Ｎを容易且つ正確に一致させることができるので、ドライバー挿入ガイド２１を電機子コイル５に触れないで、電機子コイル５の内部を貫通させたることができ、ドライバー挿入ガイド２１への漏電の危険性も同時に防止できるようになる。
【００２７】
前記実施形態では、垂れ壁９に上枠４を取り付ける場合を説明したが、垂れ壁９以外の他の躯体Ｃへの取り付けも同様に実施できるものである。
【００２８】
また前記実施形態では、上枠４を３分割したが、分割数は特に限定されず、少なくとも電機子コイル収納スペース７Ａと配線スペース７Ｂとなる２つの中空スペース７を有していればよいものである。
【００２９】
【発明の効果】
上述のように請求項１記載の発明にあっては、引戸の上端部に永久磁石を取り付け、引戸枠の上枠内部に複数の電機子コイルを直列に接続したものを引戸の移動範囲の全距離に亘って取り付け、電機子コイルに所定の周波数の交流電流を投入することによって引戸にリニア駆動による推進力を与えるようにし、上記引戸枠の上枠が複数の枠部材を組み合わせて構成されていると共に、複数の枠部材の相互間に複数の中空スペースが独立して形成されており、１つの中空スペースに電機子コイルが収納され、別の１つの中空スペース内に電機子コイルの配線が収納され、電機子コイルが収納される中空スペースの下方が、中空スペースの全長に亘って延びた取り外し可能な略逆Ｕ字状のカバー部材にて覆われてなるので、電機子コイルを上枠に収納することで、電源接続部が可動しなくなり、電気工事が簡易となり、且つ電源接続部の信頼性を長期に亘って確保できるようになる。またカバー部材により電機子コイルを隠して保護できると共に、意匠性を向上させることができる。また、引戸の建て込み時には同時に電機子コイルの電源接続部の電気工事を行う必要がなくなり、従って、引戸の大工工事と電気工事の分離施工が可能となり、施工性の向上を図ることができと共に、引戸枠に電機子コイル及びその配線を収納することによって、電機子コイル及びその配線の納まりがそれぞれ良くなり、意匠性を向上させることができる。さらに電機子コイル及びその配線を上枠内に納まり良く収納できるうえに、配線作業が容易となり、大幅な省施化が図られるうえに、リニア駆動部と上枠との一体感が向上し、各住宅工法に最適に適用できるものとなる。さらに複数の独立した中空スペースを有する複雑な構造の上枠を複数の枠部材に分割することで、複数の枠部材をいずれも簡易な形状にすることができ、正確な寸法が出し易くなり、上枠全体の加工性の向上を図ることができる。
また、上記カバー部材の両側片の内面に引戸の上端部が摺動する引戸摺動面が形成されていると共に、引戸摺動面にカバー部材を枠部材に設けた係止突起に係止させるための係止突条が設けられており、この係止突条の内面が引戸側に突出し且つ引戸の摺動方向に沿って細長く延びた摺動突起を構成しているので、カバー部材により引戸の走行時には引戸の上端側面が、摺動突起と線接触状態で摺動することとなり、引戸走行時の抵抗を低減させ且つ安定させることが可能となる。しかも、カバー部材の係止突条を枠部材に設けた係止突起に係合させることにより、カバー部材を容易に取り付けることができ、作業者の技量に左右されることなく、長期に亘って係合状態を維持できるようになり、従って、引戸の安定走行を確保する機能を兼ね備えたカバー部材を上枠に対して容易且つ確実に取り付けることができるものである。
【００３０】
また請求項２記載の発明は、請求項１記載の効果に加えて、複数の枠部材からなる上枠が、垂れ壁の下地枠よりも下方に突出した左右の面板間に配置され、上枠の左右両側には、左右の面板に対して位置決めされる一対の位置決め部が面板間の異なる幅寸法に対応して複数対設けられているので、垂れ壁の左右の面板間の寸法が異なる場合であっても、複数対のうちの一対の位置決め部を選択することで、上枠を異なる種類の垂れ壁に位置決めすることができる。これにより、１種類の上枠で異なる住宅工法の垂れ壁（例えば在来工法や２×４工法の垂れ壁）にも対応でき、従って、上枠の種類を少なくしてコストの削減及び作業の簡易化を図ることができる。
【００３１】
また請求項３記載の発明は、請求項２記載の効果に加えて、垂れ壁の面板の下端部と上枠との接続部分を覆うための化粧縁材を備え、上枠には化粧縁材を取り付けるための凹部が設けられているので、固定具などを別途用いずに、上枠側で化粧縁材を保持することができ、化粧縁材を外観良く取り付け可能となる。
【００３３】
また請求項４記載の発明は、請求項１記載の効果に加えて、垂れ壁等のような躯体の下方に配置される枠部材にネジ止め部を設け、上記枠部材を介して躯体とは反対側に、一端が電機子コイルを貫通して上枠の下方に突出し且つ他端が上記枠部材のネジ止め部に対向する中空筒状のドライバー挿入ガイドを配置し、ドライバー挿入ガイドの一端からドライバーを挿入してネジ具を枠部材のネジ止め部を貫通して躯体に締結することにより上枠を躯体に取り付けてなるので、上枠をネジ具で躯体に固定する際に、ドライバー挿入ガイドを用いることで、垂れ壁への上枠の取り付け作業をスムーズに行うことができると共に、ドライバーやネジ具がリニア駆動部の充電部に接触したり、傷付けたりするのを防止できるので、充電部を保護することができ、またドライバーが充電部に触れないことで、感電の危険性を防止できるものである。
【図面の簡単な説明】
【図１】本発明の実施形態の一例を示す側面図である。
【図２】同上の上枠の側面図である。
【図３】同上のカバー部材の側面図である。
【図４】同上のカバー部材の係止突条と枠部材の係止突起との係合状態を説明する拡大図である。
【図５】同上の上枠を在来工法の垂れ壁に取り付ける場合を説明する概略断面図である。
【図６】同上の上枠を２×４工法の垂れ壁に取り付ける場合を説明する概略断面図である。
【図７】同上のカバー部材を下方から見た一部省略図である。
【図８】他の実施形態の側面図である。
【図９】（ａ）は同上のドライバー挿入ガイドの平面図、（ｂ）は側面図である。
【符号の説明】
１  引戸
２  永久磁石
３  引戸枠
４  上枠
５  電機子コイル
６  枠部材
７  中空スペース
８  凹部
９  垂れ壁
１０  下地枠
１１  面板
１２  位置決め部
１３  化粧縁材
１４  カバー部材
１５  側片
１６  引戸摺動面
１７  係止突起
１８  摺動突起
２０  ネジ止め部
２１  ドライバー挿入ガイド
６０  係止突条
Ｃ  躯体
【図１】
0003654098.tif 000002
【図２】
0003654098.tif 000003
【図３】
0003654098.tif 000004
【図４】
0003654098.tif 000005
【図５】
0003654098.tif 000006
【図６】
0003654098.tif 000007
【図７】
0003654098.tif 000008
【図８】
0003654098.tif 000009
【図９】
0003654098.tif 000010